【手続補正書】
【提出日】平成22年5月19日(2010.5.19)
【手続補正１】
【補正対象書類名】特許請求の範囲
【補正対象項目名】全文
【補正方法】変更
【補正の内容】
【特許請求の範囲】
【請求項１】
ログの巻回の完了時に、ウェブ材料を切離して、ログのまわりに巻かれる最終の縁部及び新しい巻芯のまわりに巻かれる最初の縁部を形成する、巻芯まわりにウェブ材料のログを製造する方法において、
上記新しい巻芯の通過によって制御される分離装置によりウェブ材料を切離すことを特徴とする方法。
【請求項２】
上記分離装置が、巻芯の通過によって機械的に制御されることを特徴とする請求項１記載の方法。
【請求項３】
巻芯の通過が、分離装置を制御する信号を発生するセンサー部材によって検出されることを特徴とする請求項１又は請求項２記載の方法。
【請求項４】
挿入路に沿って巻芯を送るステップと、
上記分離装置に関連した制御要素を上記挿入路に沿って設けるステップと、
上記挿入路に沿って巻芯を送っている間に上記巻芯を上記制御要素と相互に作用させて、分離装置を作動し、ウェブ材料を切離させるステップと
を含むことを特徴とする請求項１又は請求項２又は請求項３記載の方法。
【請求項５】
上記制御要素が分離装置に拘束された機械的要素であり、巻芯が巻芯の通過中に上記機械的制御要素に作用することを特徴とする請求項４記載の方法。
【請求項６】
上記制御要素が、巻芯の通過を検出し信号を発生するセンサーと、上記信号の関数として分離装置を制御するアクチュエータとを備えていることを特徴とする請求項４記載の方法。
【請求項７】
ウェブ材料の切離しの後、上記巻芯の連続した送りにより、挿入路から分離装置を一時的に引き込みさせて、上記巻芯を通過させることを特徴とする請求項４又は請求項５又は請求項６記載の方法。
【請求項８】
巻芯の転動面を設けるステップと、
上記転動面と共に巻芯の挿入用の通路を規定し、上記ウェブ材料を接触させて送るようにした上記ウェブ材料の可動ガイド部材を設けるステップと、
ログの巻回の完了時に、上記ウェブ材料及び上記転動面と接触させて上記通路内へ新しい巻芯を挿入するステップと、
上記通路に沿って上記巻芯を送るステップと、
上記通路に沿って上記巻芯を上記分離装置と相互に作用させ、巻芯の動きをウェブ材料に上記分離装置を作用させるステップと
を含むことを特徴とする請求項１〜７のいずれか一項記載の方法。
【請求項９】
上記分離装置と相互に作用する巻芯がウェブ材料に対して分離装置を押し進め、分離装置と上記ガイド部材との間にウェブ材料を挟むことを特徴とする請求項８記載の方法。
【請求項１０】
分離装置がウェブ材料の孔あけすることを特徴とする請求項８又は請求項９記載の方法。
【請求項１１】
ウェブ材料の切離しの後に続く上記通路に沿った上記巻芯の動きにより通路から分離装置を一時的に引き込めることを特徴とする請求項９又は請求項１０記載の方法。
【請求項１２】
上記分離装置が振動の軸線のまわりで回転支持され、上記巻芯の通過により、ウェブ材料に対して分離装置を振動させることを特徴とする請求項１〜１１のいずれか一項記載の方法。
【請求項１３】
上記巻芯が分離装置を振動させ、分離装置を上記巻芯の挿入通路から引っ込めさせることを特徴とする請求項１２記載の方法。
【請求項１４】
上記分離装置が、上記分離装置と相互に作用する巻芯の軸線にほぼ平行な軸線のまわりで振動することを特徴とする請求項１２又は請求項１３記載の方法。
【請求項１５】
上記分離装置が、弾性的に遊び位置に押圧され、また上記巻芯の通過により、上記分離装置を作動位置に押圧し、上記分離装置がウェブ材料に作用してウェブ材料を切離すことを特徴とする請求項１〜１４のいずれか一項記載の方法。
【請求項１６】
挿入路に沿ってウェブ材料を送るステップと、
挿入路に沿って上記ウェブ材料と接触して挿入するステップと、
挿入路に沿って巻芯を送り、そして上記巻芯を上記分離装置と相互に作用させ、上記分離装置を作動させて巻芯の送り路に沿った上記巻芯の下流でウェブ材料に作用し、ウェブ材料を切離させるステップと
を含むことを特徴とする請求項１〜１５のいずれか一項記載の方法。
【請求項１７】
巻回ユニットと、
ウェブ材料の送り路と、
巻芯の挿入路と、
各ログの巻回完了時にウェブ材料を切離す分離装置と、
を有し、
上記分離装置が、巻芯の通過により作動するように配置され構成されることを特徴とする巻芯のまわりに巻回されたウェブ材料のログを製造する巻直し機械。
【請求項１８】
上記分離装置が、上記挿入路において上記巻芯と共動し、上記巻芯と接触して分離装置を作動させ、それによりウェブ材料を切離すように構成され、配置されていることを特徴とする請求項１７記載の機械。
【請求項１９】
巻芯の通路に沿ったセンサー及び分離装置を制御するアクチュエータを有し、上記センサーが巻芯の通過中に制御アクチュエータの作動信号を発生することを特徴とする請求項１７記載の機械。
【請求項２０】
上記作動信号が分離装置を作動させてウェブ材料を切離させ、そして巻芯の通路に対して分離装置の引き込みを制御して、分離装置と干渉せずに巻芯を通過させることを特徴とする請求項１９記載の機械。
【請求項２１】
上記分離装置が、遊び位置と、ウェブ材料に作用してウェブ材料を切離す動作位置とを取るように構成され、配置されることを特徴とする請求項１７〜２０のいずれか一項記載の機械。
【請求項２２】
上記分離装置が、戻し要素によって遊び位置に押圧され、巻芯の通過により、動作位置に向う上記戻し要素の作用に抗して上記分離装置を動かすことを特徴とする請求項２１記載の機械。
【請求項２３】
上記分離装置が、巻芯を通過させる引き込み位置を取るように構成され、配置されることを特徴とする請求項２１又は請求項２２記載の機械。
【請求項２４】
上記戻し要素が、上記動作位置と上記引き込み位置との間の中間位置に上記分離装置を押圧することを特徴とする請求項２２又は２３記載の機械。
【請求項２５】
上記分離装置が、振動軸線のまわりに支持され、上記挿入路における上記巻芯の通過により上記分離装置を振動させることを特徴とする請求項１７〜２４のいずれか一項記載の機械。
【請求項２６】
上記分離装置は、上記巻芯が上記挿入路に沿って通過する時に上記巻芯と相互作用し、分離装置を作動させるように形成されかつ構成された制御突起部を備えていることを特徴とする請求項１７〜２５のいずれか一項記載の機械。
【請求項２７】
上記送り路に沿って設けられたウェブ材料のガイド部材を有し、
ウェブ材料が上記ガイド部材と接触して供給され、
また上記巻芯の転動面を有し、
上記ガイド部材及び上記転動面が上記巻芯の挿入通路を規定し、
上記分離装置が上記通路に沿った中間位置でウェブ材料に作用するように構成されかつ制御されること
を特徴とする請求項１７〜２６のいずれか一項記載の機械。
【請求項２８】
上記分離装置は、上記通路に挿入された巻芯が作用する、上記通路内に突出する少なくとも一つの制御要素を備え、上記制御要素が、上記ウェブ材料と組み合わさって作用する上記分離装置の要素の上流に配置されることを特徴とする請求項２７記載の機械。
【請求項２９】
上記分離装置が、上記通路に沿った巻芯の送り方向に対してほぼ直交ししかも巻芯の上記転動面の側部で上記通路の外側に位置決めされた振動軸線のまわりに支持されていることを特徴とする請求項２８記載の機械。
【請求項３０】
上記分離装置が、多数のプレッサーを備え、上記分離装置が巻芯の通過で作動される時にこれらのプレッサーがウェブ材料に対して押圧されることを特徴とする請求項２８又は請求項２９記載の機械。
【請求項３１】
上記分離装置が、好ましくはウエ部材料に孔をあける歯付きの刃を備えていることを特徴とする請求項１７〜３０のいずれか一項記載の機械。
【請求項３２】
巻回クレードルと、
巻回クレードルに向うウェブ材料の送り路と、
巻回クレードルに向う巻芯の挿入路と、
巻芯の挿入路と干渉して、上記挿入路に沿った巻芯の通過により上記分離装置を作動してウェブ材料に作用させウェブ材料を破断する、ログの巻回完了時にウェブ材料を切離す分離装置と
を結合して成ることを特徴とする巻直し機械。